(57)【要約】アドレス情報提供装置（１０）において、情報送信用アドレス情報（Ａｉｊ）を、少なくとも二つのアドレス情報記録（Ａｉｊ）が割り当てられる受信機（Ｒｊ）に供給し、受信機（Ｒｊ）に割り当てられた少なくとも二つのアドレス情報記録（Ａｊｉ）の記憶用の記憶段（１２）が設けられ、各アドレス情報（ＡＪｉ）は、情報の送信方法を規定し、送信すべき送信情報を表す表示情報（ＲＩ）を供給されるとともに供給された表示情報（ＲＩ）に応じて一つ以上のアドレス情報記録（Ａｊｉ）を選択及び提供することができる選択段（１５）も設ける。
2007506179.tif 000002
【特許請求の範囲】
【請求項１】
送信情報送信用のアドレス情報を、少なくとも二つのアドレス情報記録が割り当てられた受信機に提供するアドレス情報提供装置であって、前記アドレス情報提供装置が、前記受信機に割り当てられた二つ以上のアドレス情報記録を記憶する記憶手段を具え、各アドレス情報記録が、前記送信情報送信用の送信方法を規定し、前記アドレス情報提供装置が、送信すべく前記送信情報を表す表示情報が供給され、供給された表示情報に応じて少なくとも一つのアドレス情報記録を選択し及び提供する選択手段を有することを特徴とする情報提供装置。
【請求項２】
前記選択手段が、前記表示情報を分析するとともに、前記表示情報を特徴付ける分析結果情報を提供する分析段を有し、前記選択手段が、前記分析結果情報によって前記アドレス情報を選択することを特徴とする請求項１記載の情報提供装置。
【請求項３】
複数の受信機に割り当てられたアドレス情報が前記表示情報に依存して選択できる場合、前記選択手段が、選択の際に利用できるアド絵ｒ巣情報をリストの形態で提供し、各アドレス情報記録が、一つ以上のランク付け基準に従ってリスト中でランク付けされることを特徴とする請求項１記載のアドレス情報提供装置。
【請求項４】
各アドレス情報記録が、料金に従ってランク付けされることを特徴とする請求項３記載のアドレス情報提供装置。
【請求項５】
前記表示情報に応じてアドレス情報を選択できない場合、前記選択手段が、送信すべき送信情報を送信情報要素に分割する分割情報を提供するとともに、完全な送信情報を送信情報要素の形態で前記受信機に送信するアドレス情報を提供することを特徴とする請求項１記載のアドレス情報提供装置。
【請求項６】
送信情報送信用のアドレス情報を、少なくとも二つのアドレス情報記録が割り当てられた受信機に提供するアドレス情報提供方法であって、各々が前記送信情報の送信方法を規定する、前記受信機に割り当てられた少なくとも二つのアドレス情報記録を記憶し、前記送信情報を表す表示情報に応じて、少なくとも一つのアドレス表示記録を、選択し及び提供することを特徴とするアドレス情報提供方法。
【請求項７】
前記表示情報が分析されるとともに、前記表示情報を特徴付ける分析結果情報を発生し、前期アドレス情報が、前記分析結果情報によって選択されることを特徴とする請求項６記載のアドレス情報提供方法。
【請求項８】
複数の受信機に割り当てられたアドレス情報が、前記表示情報に応じて選択される場合、選択の際に利用できるアドレス情報を、リストの形態で提供し、各アドレス情報記録を、ランク付け基準に従ってランク付けすることを特徴とする請求項６記載のアドレス情報提供方法。
【請求項９】
各アドレス情報記録を料金に従ってランク付けすることを特徴とする請求項８記載のアドレス情報提供方法。
【請求項１０】
前記アドレス情報を前記表示情報に応じて選択できない場合、送信すべき送信情報を送信情報要素に分割する分割情報を設け、完全な送信情報を送信情報要素の形態で前記受信機に送信するアドレス情報を選択し及び提供することを特徴とする請求項６記載のアドレス情報提供方法。
【請求項１１】
送信情報を処理する送信情報処理装置であって、前記送信情報処理装置が、請求項１から５のうちのいずれか１項に記載のアドレス情報提供装置を有し、前記送信情報処理装置が、前記アドレス情報提供装置によって設けられたアドレス情報を用いて、前記送信情報を前記アドレス情報によって規定された送信方法に従って送信する送信装置を有することを特徴とする送信情報処理装置。
【請求項１２】
送信方法に従って次の送信を行うために前記送信情報及び前記アドレス情報の表示のバッファメモリ用の送信情報記憶手段を設け、前期送信方法を前記アドレス情報によって規定し、前記アドレス情報が前記アドレス情報提供装置によって提供されることを特徴とする請求項１１記載の送信情報処理装置。
【請求項１３】
コンピュータメモリに直接ロードすることができるとともにソフトウェアコード区分を具えるコンピュータプログラムであって、前記コンピュータプログラムをコンピュータ上で実行する際に、前記コンピュータが、請求項６から１０のうちのいずれか１項に記載のアドレス情報提供方法を実行するのに用いられることを特徴とするコンピュータプログラム。
【請求項１４】
前記コンピュータプログラムが、コンピュータ読出し可能媒体に記憶されていることを特徴とする請求項１３記載のコンピュータプログラム。
【請求項１５】
中央処理ユニット及び内部メモリを有するコンピュータであって、前記コンピュータが、請求項１３記載のコンピュータプログラムを実行することを特徴とするコンピュータ。
【請求項１６】
送信装置から送信される送信情報を、予め受信したメッセージを利用して受信する受信装置であって、前記メッセージが、要求アドレス情報を有し、前記要求アドレス情報が、前記送信情報送信用のアドレス情報の選択によって、請求項１から５のうちのいずれか１項に記載のアドレス情報提供装置によって規定された送信方法を用いて前記送信情報を要求する送信装置を特定し、前記受信装置が、前記送信方法に従って前記要求アドレス情報によりアドレス指定した送信装置から前記送信情報を要求する要求段を有することを特徴とする受信装置。
【請求項１７】
前記受信装置が、ｅメールメッセージによって形成されたメッセージを処理することを特徴とする請求項１６記載の受信装置。
【請求項１８】
前記受信装置が、いわゆる「拡張マークアップ言語」によって要求アドレス情報を特定するメッセージを処理することを特徴とする請求項１６記載の受信装置。
【発明の詳細な説明】
【技術分野】
【０００１】
本発明は、データ送信用のアドレス情報を受信機に提供するアドレス情報提供装置に関する。
【０００２】
また、本発明は、データ送信用のアドレス情報を受信機に提供するアドレス情報提供方法に関する。
【０００３】
また、本発明は、第１段落で説明したタイプのアドレス情報提供装置及びデータ送信装置を有する送信情報処理装置に関する。
【０００４】
また、本発明は、コンピュータのメモリに直接ロードすることができ、コンピュータ上での実行の際にコンピュータが第２段落のアドレス情報提供方法を実行することができるコンピュータプログラムに関する。
【０００５】
また、本発明は、中央処理ユニット及び内部メモリを有し、第４段落のコンピュータプログラムを実行することができるコンピュータに関する。
【０００６】
また、本発明は、以前に受信したメッセージを利用して、送信装置によって送信することができる送信情報を受信する受信装置に関する。
【背景技術】
【０００７】
第１段落で言及したタイプのアドレス情報提供装置、第２段落で言及したタイプのアドレス情報提供方法、第３段落で言及したタイプの送信情報処理装置、第４段落で言及したタイプのコンピュータプログラム、第５段落で言及したタイプのコンピュータ及び第６段落で言及したタイプの受信装置は、マイクロソフト社から市販された“Outlook”という名前のｅメール通信ソフトウェアに関連して知られている。
【０００８】
既知のアドレス情報提供装置は、既知のコンピュータプログラム及びコンピュータプログラムを実行するコンピュータによって実現される電子アドレス帳を伴う。要求の際に、すなわち、例えば受信機名を入力することによって、受信機名に対応するｅメールアドレスの形態のアドレス情報が提供される。提供されたｅメールアドレスは、この場合はｅメール通信プロトコルによる予め規定された通信方法に従って送信情報を形成するｅメールメッセージを送信するｅメール通信モジュールによって用いられる。
【０００９】
受信機のｅメールアドレスが自動的に提供されるとしても、ｅメール通信プロトコルによる送信情報の送信が実際には不経済な時間長で行われるという問題を、既知のアドレス情報提供装置及び既知のアドレス情報提供方法が有する。その理由は、例えばオーディオ及び／又はビデオファイルがｅメールメッセージに添付された場合には数メガバイト以上のサイズを有する送信情報の送信にはｅメール通信プロトコルが実際に不適切だからである。
【発明の開示】
【００１０】
本発明の目的は、第１段落で言及したタイプのアドレス情報提供装置、第２段落で言及したタイプのアドレス情報提供方法、第３段落で言及したタイプの送信情報処理装置、第４段落で言及したタイプのコンピュータプログラム、第５段落で言及したタイプのコンピュータ及び第６段落で言及したタイプの受信装置に関連して説明した問題を取り除くとともに、向上したアドレス情報提供装置、向上したアドレス情報提供方法、向上した送信情報処理装置、向上したコンピュータプログラム、向上したコンピュータ及び向上した受信装置を形成することである。
【００１１】
上記目的を解決するために、アドレス情報提供装置に本発明の特徴を設け、本発明によるアドレス情報提供装置を、以下のように特徴付けることができる。
【００１２】
送信情報送信用のアドレス情報を、少なくとも二つのアドレス情報記録が割り当てられた受信機に提供するアドレス情報提供装置であって、前記アドレス情報提供装置が、前記受信機に割り当てられた二つ以上のアドレス情報記録を記憶する記憶手段を具え、各アドレス情報記録が、前記送信情報送信用の送信方法を規定し、前記アドレス情報提供装置が、送信すべく前記送信情報を表す表示情報が供給され、供給された表示情報に応じて少なくとも一つのアドレス情報記録を選択し及び提供する選択手段を有することを特徴とする情報提供装置。
【００１３】
上記目的を解決するために、アドレス情報提供方法に本発明の特徴を設け、本発明によるアドレス情報提供方法を、以下のように特徴付けることができる。
【００１４】
送信情報送信用のアドレス情報を、少なくとも二つのアドレス情報記録が割り当てられた受信機に提供するアドレス情報提供方法であって、各々が前記送信情報の送信方法を規定する、前記受信機に割り当てられた少なくとも二つのアドレス情報記録を記憶し、前記送信情報を表す表示情報に応じて、少なくとも一つのアドレス表示記録を、選択し及び提供することを特徴とするアドレス情報提供方法。
【００１５】
上記目的を解決するために、送信情報処理装置に本発明の特徴を設け、本発明による送信情報処理装置を、以下のように特徴付けることができる。
【００１６】
送信情報を処理する送信情報処理装置であって、前記送信情報処理装置が、請求項１から５のうちのいずれか１項に記載のアドレス情報提供装置を有し、前記送信情報処理装置が、前記アドレス情報提供装置によって設けられたアドレス情報を用いて、前記送信情報を前記アドレス情報によって規定された送信方法に従って送信する送信装置を有することを特徴とする送信情報処理装置。
【００１７】
上記問題を解決するために、本発明によるコンピュータプログラムに関連して、コンピュータメモリに直接ロードすることができるとともにソフトウェアコード区分を具えるコンピュータプログラムであって、前記コンピュータプログラムをコンピュータ上で実行する際に、前記コンピュータが、本発明によるアドレス情報提供方法を実行するのに用いられることを特徴とするコンピュータプログラムを提供する。
【００１８】
上記問題を解決するために、本発明によるコンピュータに関連して、中央処理ユニット及び内部メモリを有するコンピュータであって、前記コンピュータが、本発明によるコンピュータプログラムを実行することを特徴とするコンピュータを提供する。
【００１９】
上記目的を解決するために、受信装置に本発明の特徴を設け、本発明による受信装置を、以下のように特徴付けることができる。
【００２０】
送信装置から送信される送信情報を、予め受信したメッセージを利用して受信する受信装置であって、前記メッセージが、要求アドレス情報を有し、前記要求アドレス情報が、前記送信情報送信用のアドレス情報の選択によって、請求項１から５のうちのいずれか１項に記載のアドレス情報提供装置によって規定された送信方法を用いて前記送信情報を要求する送信装置を特定し、前記受信装置が、前記送信方法に従って前記要求アドレス情報によりアドレス指定した送信装置から前記送信情報を要求する要求段を有することを特徴とする受信装置。
【００２１】
これは、データ送信に適切な送信方法を規定するアドレスアドレス情報の自動的な提供及び使用の利点を有し、この送信方法は、送信情報を送信するためにも実際使用される。これは、どの技術的な送信方法がデータ送信に最適であるかをユーザが決定する必要がある状況にあうことなく、ユーザがユーザ自身で決定した受信機への送信情報の送信を所望することだけをユーザが特定すればいいという利点も提供する。したがって、ユーザは、送信情報を受信機に送信する際に特別な知識を必要しなくなる程度まで労力が軽減され、これによって、ユーザは、一つのアドレス情報記録のデータ送信に最適な送信方法の指定を決定するために受信機に属する種々のアドレス情報を評価する。ユーザに属する種々のアドレス情報記録がしばしば送信情報を受信機に送信するために互いに相違するユーザインタフェースの管理を必要とし、所定の状況においては受信機の種々の受信装置を指定することがあり、互いに関連して完全に相違する送信方法をサポートすることがある状況では、更に複雑になる。
【００２２】
本発明による解決は、どのようなタイプの送信情報、例えば、テキスト情報、静止画像情報、音声情報、オーディオ／ビデオ情報又はリアルタイムオーディオ／ビデオ情報が含まれているか、送信情報がどのくらいのバイトを含むか又は送信情報を送信するのにどのくらいのビットレートを用いるべきであるかを表示情報の形態で提供する選択手段も設けることができる。しかしんがら、本発明による解決に関連して、請求項２及び７にそれぞれ記載した特徴を設けた場合に特に有利である。これは、送信に最適なアドレス情報が完全に自動的に提供されるとともに互いに相違する送信情報に最適らしい分析方法を用いるという利点を与える。これは、アドレス情報を用いて送信情報を送信するユーザ端末装置とは独立して互いに相違する分析方法のあり得る最も簡単な中央管理を実行することができるサーバの一部をアドレス情報提供装置が形成するときに、特に有利である。
【００２３】
本発明による解決に関連して、請求項３及び８にそれぞれ記載した特徴を設けることも有利である。このようにして得られた利益によれば、不完全な受信機名が存在する場合又は一般に複数の受信機をカバーする用語又は受信機インディケータが存在する場合でも、データ送信用の適切なアドレス情報記録が設けられる。
【００２４】
本発明による解決に関連して、請求項４及び９にそれぞれ記載した特徴を設けることも有利である。これは、例えば写真サービス代理店の場合の処理を可能にするという利点を与え、この場合、送信情報はデジタル静止画像を表し、ビジネスの分野が高品質写真の形態の静止画のプリントアウトまで及ぶ複数の会社が、あり得る受信機となり、受信機に対応するアドレス情報が、サーバのオペレータに対する支払いに応じて、すなわち、そのオペレータに支払う料金に応じてリストに出現する。
【００２５】
本発明による解決に関連して、請求項５及び１０にそれぞれ記載した特徴を設けることも有利である。このようにして得られた利益によれば、完全な送信情報を受信機に送信するのに適切な送信方法が存在しないとしても、送信情報を、送信情報要素の送信に適切な送信方法を用いて送信情報要素の形態で送信することができ、これは、例えばオーディオ／ビデオ記録の場合に当てはまるが複数の静止画には必須でない完全な送信情報を形成するのに誤りなく受信機が送信情報要素を収集する必要がある場合、送信される送信情報に関して許容できる。
【００２６】
本発明による送信情報処理装置において、請求項１１に記載したような特徴を設けるのが有利である。このようにして得られた利益によれば、本発明によるアドレス情報提供装置に関連して既に説明した利益が、エンターテイメント電子製品、例えば、ハードディスクビデオレコーダのような送信情報処理装置の場合にも利用でき、これらの手段によって、現存する技術的な機能、例えば、ネットワーク機能の利用を可能にし、それと同時に、通常要求されるような動作を複雑にするユーザインタフェースを回避する。
【００２７】
本発明による送信情報処理装置の場合、請求項１２に記載した特徴を設けるのが有利である。このようにして得られた利益によれば、特定の時間において、所定の送信情報を送信するのに必要な送信情報が利用できず、又は受信端で実現できない場合、この特定の送信情報を、アドレス情報によって規定した送信方法によって次の時間に送信することもできる。
【００２８】
本発明によるコンピュータプログラムの場合、請求項１４に記載したような特徴を設けるのが有利である。このようにして得られた利益によれば、コンピュータプログラムを、あり得る最速の方法で配給、販売又は使用することができる。
【００２９】
本発明による受信装置の場合、例えば、メッセージを、ピアーツーピアー通信によって送信することができる。しかしながら、請求項１７に記載された特徴を設けるのが有利である。このようにして得られた利益によれば、好適な送信方法を現在利用できない場合でも、この送信方法を次の時間で用いることができ、特に、受信装置がいわゆるファイアーウォールにより外部のデータアクセスからプロテクトされているために受信装置からの送信情報の能動的な要求がなく、送信情報の送信装置から受信装置への直接の通信が不可能な場合が特に当てはまる。
【００３０】
本発明による受信装置の場合、請求項１８に記載された特徴を設ける場合も有利である。このようにして得られた利益によれば、要求アドレス情報を、最も正確で誤りのない方法でメッセージに収容することができ、困難なく受信装置で評価することができる。
【００３１】
本発明のこれら及び他の態様を、後に説明する実施の形態から明らかにする。
【発明を実施するための最良の形態】
【００３２】
本発明を、図面に示す実施の形態によって以下詳細に説明するが、本発明はこれに限定されるものではない。
図１は、送信情報処理装置を示し、この場合、送信情報処理装置を、ハードディスクビデオレコーダの形態とし、以後、ＨＤレコーダ１と略して記載する。ＨＤレコーダ１は、ハードディスク２によって実現されるオーディオ／ビデオ情報記憶手段を有する。ＨＤレコーダ１は、送信情報ＴＩを処理するように設計され、この場合、送信情報ＴＩは、ハードディスク２によって記録されたビデオフィルムを表すオーディオ／ビデオ情報ＡＶＩによって形成される。ハードディスク２は、オーディオ／ビデオ情報ＡＶＩの格納のために設けられたオーディオ／ビデオ情報格納領域３を有する。ハードディスク２は、コンテンツリスト格納領域４も有し、コンテンツリスト格納領域４には、オーディオ／ビデオ情報ＡＶＩに対応するとともにビデオフィルムを説明するコンテンツ情報ＣＩが格納される。コンテンツ情報ＣＩは、フィルム名、記録日時、フィルムの持続時間、フィルムのデータ量及びフィルムの簡単な説明文を有する。この点において、コンテンツ情報ＣＩを、いわゆるメタデータ形態で設けることもできる。コンテント情報ＣＩを個別のコンテンツ格納領域４に格納する必要はなく、オーディオ／ビデオ格納領域３のオーディオ／ビデオ情報ＡＶＩとともに格納することもできる。
【００３３】
ＨＤレコーダ１は、この場合ではＴＶセット５によって実現されるオーディオ／ビデオ再生装置にも接続される。ＴＶセット５は、オーディオ／ビデオ情報信号ＡＶＩＳを受信し及び処理し、オーディオ／ビデオ情報信号ＡＶＩＳは、再生時にハードディスク２によって格納されるビデオフィルム、又は、ＨＤレコーダ１によって発生することができるとともにＴＶセット５によってビジュアル化することができるＨＤレコーダのメニューを表す。オーディオ／ビデオ情報信号ＡＶＩＳを発生し及び供給するために、ＨＤレコーダ１は、オーディオ／ビデオ情報処理手段６を有し、オーディオ／ビデオ情報処理手段６には、ハードディスク２に格納されたオーディオ／ビデオ情報ＡＶＩを供給することができ、オーディオ／ビデオ情報処理手段６は、オーディオ／ビデオ情報ＡＶＩに基づいてオーディオ／ビデオ情報信号ＡＶＩＳを発生する。ＨＤレコーダ１は、オーディオ／ビデオ情報入力接続部７も有し、内部処理例えばオーディオ／ビデオ情報信号ＡＶＩＳを設けるため又はハードディスク２による記録のために、オーディオ／ビデオ情報入力接続部７によって、外部オーディオ／ビデオ情報ＡＶＩを、図１に示さない外部オーディオ／ビデオ情報源からＨＤレコーダ１に供給することができる。
【００３４】
ＨＤレコーダ１は情報処理制御手段８も有し、情報処理制御手段８は、オーディオ／ビデオ情報入力接続部７で受信した外部オーディオ／ビデオ情報ＡＶＩ又はハードディスク２によって格納された内部オーディオ／ビデオ情報ＡＶＩを制御するとともに、ＴＶセット５を通じてＨＤレコーダ１のメニューを提供する。
【００３５】
ＨＤレコーダ１は、情報処理制御手段８と協働するように設計された入力手段９も有し、入力手段９によって、ユーザによってＨＤレコーダ１に供給することができる入力情報Ｉの電子表示ＥＩを、情報処理制御手段８に供給することができる。入力情報Ｉを、入力手段９の手動を通じて又は遠隔制御を用いることによってＨＤレコーダ１に供給することができる。入力手段９によって、ＨＤレコーダ１を、例えばビデオフィルム選択モードで制御することができ、この場合、ハードディスク２に格納されたコンテンツ情報ＣＩを、オーディオ／ビデオ情報処理手段６を通じてＴＶセット５に供給することができ、その結果、ユーザは、入力手段９によって、ユーザが関心のあるビデオフィルムを、利用できる格納されたビデオフィルムのリストから選択することができる。
【００３６】
ＨＤレコーダ１は、ネットワーク通信機能も有し、ネットワーク通信機能によって、格納されたビデオフィルムの一つを、ネットワーク２２を通じて受信機Ｒｊ（ｊ＝１．．．３）に供給することができ、この場合、番号ｊは、３個のあり得る受信機のうちの一つを表す。あり得る最も有効なネットワーク通信を容易にするために、ＨＤレコーダ１は、後に説明するアドレス情報提供装置１０及び送信装置１１を有する。
【００３７】
アドレス情報提供装置１０は、送信情報ＴＩを受信機Ｒｊの一つに送信するためにアドレス情報Ａｊｉ（ｉ＝１．．．５）を提供し、番号ｉは、少なくとも２個のアドレス情報記録、この場合、５個のアドレス情報記録が割り当てられる受信機Ｒｊの５個のアドレスのうちの一つを表す。このために、アドレス情報提供装置１０は、第１の受信機Ｒ１に対する５個のアドレス情報記録Ａ１ｉ、第２の受信機Ｒ２に対する５個のアドレス情報記録Ａ２ｉ及び第３の受信機Ｒ３に対する５個のアドレス情報記録Ａ３ｉを記憶するために設けられた記憶手段１２を有する。明瞭のために、図１は、記憶手段１２に保持された三つの記録ＤＳ１，ＤＳ２及びＤＳ３のみを示すが、３を超える記録も存在することができる。記録ＤＳ１〜ＤＳ３は、三つの受信機名と、五つのアドレス情報記録Ａ１ｉ，Ａ２ｉ又はＡ３ｉが格納される各受信機Ｒｊに対応するアドレス情報フィールドとを有する。
【００３８】
アドレス情報記録Ａｊｉの各々は、データ送信方法を規定する。この場合、アドレス情報記録Ａｊ１は、ｅメールの送信方法を規定する。アドレス情報記録Ａｊ２は、ピアーツーピアー（Ｐ２Ｐ）の送信方法を規定する。アドレス情報記録Ａｊ３は、ファイル転送プロトコル（ＦＴＰ）の送信方法を規定する。アドレス情報記録Ａｊ４は、ショートメッセージサービスＳＭＳの送信方法を規定する。アドレス情報記録Ａｊ５は、ＩＣＱを通じたインスタントメッセージ（ＩＭ）の送信方法を規定する。
【００３９】
アドレス情報提供装置１０は、表示情報ＲＩを情報処理制御手段８から供給されることができる選択手段１３も有し、選択手段１３は、供給される表示情報ＲＩに応じてアドレス情報記録Ａｊｉの少なくとも一つを選択し及び提供する。表示情報ＲＩは、アドレス情報Ａｊｉ選択の際に利用する事ができる情報コンテンツを有するような送信情報ＴＩを表す。
【００４０】
選択手段１３は、分析段１４及び選択段１５を有する。分析段１４は、コンテンツ情報ＣＩに含まれる使用可能な表示情報ＲＩに関して情報処理制御手段８から供給することができるコンテンツ情報ＣＩを分析するとともに、分析された表示情報ＲＩを特徴付ける結果情報ＡＩＲを選択段１５に送信する。分析結果情報ＡＩＲは、表示情報ＲＩに応じて受信機Ｒｊに対して選択される関連のアドレス情報Ａｊ１〜Ａｊ５を与える。選択段１５は、分析結果情報ＡＩＲにより関連のアドレス情報Ａｊ１〜Ａｊ５を選択する。
【００４１】
情報処理制御手段８によって提供されるコンテンツ情報ＣＩが、解析に適した表示情報ＲＩを有しない場合、選択手段１３は、オーディオ／ビデオ情報ＡＶＩを情報処理制御手段８から直接受信するとともに、そのような場合にオーディオ／ビデオ情報ＡＶＩを分析して、表示情報ＲＩをオーディオ／ビデオ情報ＡＶＩの直接的な分析を通じて発生することができる。
【００４２】
情報処理制御手段８は、入力手段９によってアドレス情報提供装置１０にアクセスするとともに、記憶手段１２に記憶された受信機Ｒｊの名前を読み出し、その後、これらの名前を、アドレス情報提供装置１０によって、受信機情報ＤＩの形態で情報処理制御手段８に供給するとともに、情報処理制御手段８からオーディオビデオ情報処理手段６に供給し、その結果、受信機の名前をＴＶセット５によってリストの形態で視覚的に再生できる。入力手段９を、受信機選択情報記録ＤＳＩによって表される受信機名のリストに示す名前を選択するのに用いることもでき、受信機選択情報記録ＤＳＩを、情報処理制御手段８からアドレス情報提供装置１０に送信することができる。この場合、アドレス情報提供装置１０は、選択手段１３によって、選択した受信機Ｒｊに対応する、オーディオ／ビデオ情報ＡＶＩ送信用のアドレス情報記録Ａｊ１〜Ａｊ５の一つを、受信選択情報ＤＳＩに従って選択した受信機Ｒｊに提供する。
【００４３】
入力手段９は、あり得る受信機Ｒｊの名前をユーザによって直接入力することもできる。ＴＶセット５によって再生することができるリストから受信機Ｒｊの一つの名前を選択するオプションが用いられず、ＨＤレコーダ１のユーザが、入力手段９によって受信機Ｒｊの一つの名前又は名前の一部を入力する場合、受信機選択情報ＤＳＩは、入力手段９を用いたユーザによる名前又は名前の要素を表す。この場合、記憶された受信機Ｒｊの一つを選択手段１３によって識別できないことがある。この状況を取り扱うために、選択手段１３は、ユーザの入力に従う選択の名前、又はリストの形態の対応するアドレス情報Ａｊｉを提供し、この場合のリストを、受信機情報ＤＩによって、選択手段１３から情報処理制御手段８を通じてオーディオ／ビデオ情報処理手段６に供給することができ、かつ、ＴＶセット５によってユーザに表示することができ、その結果、ユーザは、ユーザによって実際に意図された名前又は受信機Ｒｊを選択することができる。この場合のみ、選択段１５によって、手動で選択した受信機Ｒｊに対応するアドレス情報Ａｊｉを選択することができる。
【００４４】
表示情報ＲＩに依存して、選択された受信機Ｒｉに対応するアドレス情報記録Ａｊｉのいずれも選択できない場合、選択手段１３は、情報ＳＩを分割することができ、これによって、送信される送信情報ＴＩ、この場合、オーディオ／ビデオ情報ＡＶＩを、送信情報要素に分割することができる。選択手段１３は、アドレス情報Ａｊｉを選択し及び提供することができ、これによって、完全なオーディオ／ビデオ情報ＡＶＩを、送信情報要素の形態で連続的又はほぼ同時に受信機Ｒｊに送信することができる。そのような状況は、例えば、ユーザが受信機Ｒｊ又はユーザの端末装置にビデオフィルムを送信することを意図する場合に存在し、端末装置は、理由がどうであれ、ｅメールのみを受信し、このためにのみ現在利用できる。この場合、ビデオフィルムは、例えば、ｅメール送信法による送信を許容するデータ量を有する送信情報要素に分割され、各送信情報要素は、ｅメールの形態の分割情報ＳＩとともに受信機Ｒｊの端末装置に送信される。分割情報ＳＩによって、受信機は、送信情報予想を再アッセンブルしてビデオフィルムを形成することができる。
【００４５】
ＨＤレコーダ１の送信装置１１は、アドレス情報提供装置１０によって提供されたアドレス情報Ａｊｉを用いて、あどれエス情報Ａｊｉによって規定された送信方法に従ってオーディオ／ビデオ情報ＡＶＩを送信する。このために、送信装置１１は、第１の送信段１６と、第２の送信段１７と、第３の送信段１８と、第４の送信段１９と、第５の送信段２０と、五つの送信段１６〜２０と協働するネットワークデータ処理手段２１とを有する。送信段１６〜２０の各々は、それぞれ特定された送信方法に従って、情報処理制御手段８から送信情報ＴＩを受信するとともに、送信情報ＴＩをネットワークデータ処理手段２１に供給する。第１の送信段１６にはｅメール送信方法が割り当てられ、第２の送信段１７にはＰ２Ｐ送信方法が割り当てられ、第３の送信段１８にはＦＴＰ送信方法が割り当てられ、第４の送信段１９にはＳＭＳ送信方法が割り当てられ、第５の送信段２０にはＩＭ送信方法が割り当てられる。その結果、第１の送信段１６によって、ｅメールに関連するアドレス情報記録Ａ１１，Ａ２１又はＡ３１を処理することができ、第２の送信段１７によって、Ｐ２Ｐに関連するアドレス情報記録Ａ１２，Ａ２２又はＡ３２を処理することができ、第３の送信段１８によって、ＦＴＰに関連するアドレス情報記録Ａ１３，Ａ２３又はＡ３３を処理することができ、第４の送信段１９によって、ＳＭＳに関連するアドレス情報Ａ１４，Ａ２４又はＡ３４を処理することができ、第５の送信段２０によって、ＩＭに関連するアドレス情報Ａ１５，Ａ２５又はＡ３５を処理することができる。選択手段１３によって、それぞれ選択されたアドレス情報Ａｊｉを、関連のアドレス情報Ａｊｉによって規定された送信方法に対応する送信方法を有する送信段１６〜２０に供給することができる。
【００４６】
関連の送信方法によって、オーディオ／ビデオ情報ＡＶＩを、関連のアドレス情報Ａｊｉとともに、ネットワークデータ処理手段２１に供給することができ、ネットワークデータ処理手段２１は、ネットワークデータＮＤをネットワーク２２に供給する。アドレス情報Ａｊｉに応じて、ネットワークデータＮＤを、ネットワーク２２を通じて、図１に示す受信ユニット２３，２４，２５又は２６のうちの一つに送信することができ、それを、関連のアドレス情報Ａｊｉを通じて明確に識別することができる。これに関連して、アドレス情報Ａｊｉは、関連の送信方法に従ってアドレス指定することができるいわゆるバーチャルユニット又はユーザアカウントを指定することもできる。
【００４７】
第１の受信ユニット２３は、第１の受信機Ｒ１が割り当てられ、ｅメール、Ｐ２Ｐ，ＦＴＰ，ＳＭＳ及びＩＭの送信方法を自由に有する。その実現は、ＨＤレコーダ１の実現にほぼ対応する。第２の受信ユニット２４及び第３の受信ユニット２５は、コンピュータ２６の仮想装置によって実現される。第２の受信ユニット２４は、ｅメール、ＳＭＳ及びＩＭの送信方法を自由に有する。第３の受信ユニット２５は、ＦＴＰ及びＰ２Ｐの送信方法を自由に有する。第２の受信ユニット２４及び第３の受信ユニット２５は、送信装置を実現するＨＤレコーダ１によって送信された送信情報ＴＩを受信する受信装置を形成し、特に、予め受信したｅメールメッセージを利用し、ｅメールメッセージは、要求アドレス情報ＲＡＩを有する。要求アドレス情報ＲＡＩは、送信情報ＴＩを、ＨＤレコーダ１とする必要のない送信情報処理装置によって要求することができることを述べ、送信情報ＴＩを送信するためにアドレス情報Ａ２２又はＡ２３を選択することによってＨＤレコーダ１のアドレス情報提供装置１０を用いて規定した送信方法を用いる。この場合、要求アドレス情報ＲＡＩを、図６に示すｅメールメッセージから抽出できるように、第２の受信ユニット２４のいわゆるｅメールクライアントが設定され、ｅメールメッセージは、要求アドレス情報ＲＡＩが組み込まれたいわゆる「拡張可能なマークアップ言語」（ＸＭＬ）によって規格化されたＸＭＬ命令を有する。抽出された要求アドレス情報ＲＡＩを、第２の受信ユニット２５に供給することができ、アドレス情報Ａ２２又はＡ２３によって規定された送信方法に従って、ＦＴＰクライアント２５Ａ又はＰ２Ｐクライアント２５Ｂによって処理される。したがって、受信ユニット２６は、ＨＤレコーダ１のアドレス情報提供装置１０によって予め規定されたアドレス情報Ａ２２又はＡ２３に応じて、ＦＴＰクライアント２５Ａ又はＰ２Ｐクライアント２５Ｂによって実現される要求段を有する。この要求段は、送信方法Ｐ２Ｐ又はＦＴＰに従って、要求アドレス情報ＲＡＩによってアドレス指定された送信装置から送信情報ＲＩを要求する。
【００４８】
これは、例えば、第２の受信ユニットがファイアーウォールに隠されて秘密にされ、ファイアーウォールの外側からアドレス指定できないときに有利であり、その結果、要求アドレス情報ＲＡＩを受信する受信ユニットは、関連のアドレス情報Ａ２２又はＡ２３によって規定された送信方法に従ってデータ送信を開始するためにそれ自体起動している必要がある。この手法は、ＨＤレコーダ１がファイアーウォールに隠されて秘密にされているとき又は送信情報ＴＩをバッファメモリに供給されるとともに時間遅延を以って受信ユニット２６に送信できる場合にも有利である。
【００４９】
図１によるＨＤレコーダ１の第１の典型的なアプリケーションによって、ＨＤレコーダ１及びＨＤレコーダ１に含まれるアドレス情報提供装置１０の機能を説明する。
【００５０】
典型的なアプリケーションに従って、ＨＤレコーダ１のオーナ及びユーザがアドルフ・プロイドルであると仮定する。また、記憶手段１２によって、アドルフ・プロイドルが、第１の友人のマイケル・シュナイダーに対応するアドレス情報Ａ１１〜Ａ１５を第１の記録ＤＳ１に含む電子アドレス帳を編集したと仮定する。第２の記録ＤＳ２において、アドレス帳は、第２の友人ヒュー・コートレーに対応するアドレス情報Ａ２１〜Ａ２５を有する。関連のアドレス帳エントリＡ１１〜Ａ２５を、図２に示す。
【００５１】
さらに、アドルフ・プロイドルが、ＨＤレコーダ１の使用中に、ビデオフィルム「シュレック」、「スターウォーズＩ」、スターウォーズII」、「スターウォーズIII」及び「パーフェクトパテント」をハードディスク２に記録し、これらビデオフィルムが、ハードディスク２に記録されたオーディオ／ビデオ情報ＡＶＩを形成すると仮定する。オーディオ／ビデオ情報ＡＶＩに対応して、コンテンツリスト記憶領域４は、ビデオフィルムを特徴付けるのに適した全ての必要な情報をコンテンツ情報ＣＩの形態で有する。
【００５２】
ＨＤレコーダ１を使用するに際し、アドルフ・プロイドルは、ＴＶセット５によって、図４に示すような第１の画像コンテンツ２９をＨＤレコーダ１のメニューの形態で示す。第１の画像コンテンツ２９は、メインメニュー名パネル３０及び第１のサブメニュー名パネル３１を有する。メインメニュー名パネル３０において、ＨＤレコーダ１の使用の際に、アドルフ・プロイドルがハードディスク上でビデオメニューレベルを見つけたことを示す。第１のサブメニューパネル３１において、このサブメニューの利用できる情報がハードディスクで格納されたビデオコンテンツに関連することを示す。第１のサブメニューパネル３１に続いて、ビデオフィルムリスト化領域３２は、利用できるビデオフィルムの名前をリストし、選択された特定のビデオフィルムが、関連のビデオフィルムの左にある比較的大きな円によってマークされる。ビデオフィルムリスト化領域３２の横側に表示されたビデオフィルム記載領域３３には、これらの詳細と、ユーザに関心がある選択された特定のビデオフィルムに関連する情報とが示される。第１の画像コンテンツ２９は、リストされたビデオフィルムの一つの再生及び／又は編集及び／又は選択に直接関連するメニューコマンドを選択し及び／又は実行するのに用いることができるメニューのメニューアイテムが利用できる第１の実行メニューエリア３４も有する。第１の画像コンテンツ２９は、ハードディスク２に格納されたビデオフィルムのアドミニストレーションに関連するメニューコマンドを選択し及び／又は実行するために使用することができるメニューアイテムが利用できる管理機能メニューエリア３５も有する。この場合、本発明に関連するメニューコマンドＳＥＮＤ３６のみを説明する。
【００５３】
典型的なアプリケーションに従って、アドルフ・プロイドルがビデオフィルム「シュレック」を第１の受信機Ｒ１すなわち友人のマイケル・シュナイダーに送信しようとしていると仮定する。したがって、アドルフ・プロイドルは、ビデオフィルムリスト化エリア３２においてビデオフィルム「シュレック」を選択し、第１の実行メニューエリア３４のメニューコマンドＳＥＬＥＣＴを起動することによって選択を確認する。その後、アドルフ・プロイドルは、メニューコマンドＳＥＮＤ３６を起動し、それに応じて、ＴＶセット５によって再生された第１の画像コンテンツ２９は、図４に示す第２の画像コンテンツ３７に置き換えられる。
【００５４】
第１の画像コンテンツ２９に対して、第２の画像コンテンツ３７は第２のサブメニュー名パネル３８を有し、第２のサブメニュー名パネル３８は、第２のサブメニュー名パネル３８の下に配置された受信リスト領域３９から選択することができる受信者に、選択されたフィルムを送信することができることを示す。第２の画像コンテンツ３７は、第２の実行メニューエリア４０も有し、第２の実行メニューエリア４０の起動を通じて、ビデオフィルム「シュレック」の送信を開始する。第２の画像コンテンツ３７は、本発明に関連しないために更に説明しない第２の管理機能メニューエリア４１も有する。
【００５５】
典型的なアプリケーションによれば、アドルフ・プロイドルは、受信リストエリア３９の友人マイケル・シュナイダーの名前を選択し、遠隔制御のＯＫボタンを押すことによってビデオフィルム「シュレック」の送信を行い、ＯＫボタンは、第２の実行メニューエリア４０にリストされたコマンド「ＯＫ送信」に対応する。
【００５６】
それに応答して、先ず、ＨＤレコーダ１において、ビデオフィルム「シュレック」に対応するコンテンツ情報ＣＩが、情報処理制御手段８によってコンテンツリスト記憶エリア４から読み出され、選択手段１３、特に、分析段１４に送信される。その後、アドレス情報提供プロセスを開始して、ビデオフィルム「シュレック」の送信用のアドレス情報Ａｊｉを受信機Ｒ１すなわちマイケル・シュナイダーに提供し、受信機Ｒ１には、第１の記録ＤＳ１に従って５個のアドレス情報記録Ａ１１〜Ａ１５が割り当てられる。
【００５７】
アドレス情報提供法によれば、ビデオフィルム「シュレック」を表す表示情報ＲＩに応じて、アドレス情報Ａ１ｉが、送信装置１１に対して最初に選択され及び提供される。このために、ビデオフィルム「シュレック」のコンテンツ情報ＣＩが、データ量の詳細を有するか否かを調べるために分析される。コンテンツ情報ＣＩで見つけられるデータ量の詳細は、最終的には表示情報ＲＩを形成する。この分析によれば、ｅメール送信方法、ＳＭＳ送信方法又はＩＭ送信方法によるビデオフィルム「シュレック」の送信が不適切であることを表す分析結果情報ＡＩＲが発生する。その理由は、実際のデータ量が通常のデータ量を超えるとともにこれらの送信方法に対して技術的な観点から分別よく処理されるからである。分析結果情報ＡＩＲに基づいて、アドレス情報Ａ１３は、ＦＴＰ送信方法が用いられることに従って、ビデオフィルムの送信の際に最適なアドレス情報として選択段１５によって選択される。これも特殊である。その理由は、マイケル・シュナイダーに対するビデオフィルムがリアルタイムで利用できるか否かについての表示を表示情報ＲＩが含まないからである。したがって、選択段１５は、ＦＴＰ送信方法によりビデオフィルムが全体として最も経済的に送信されるという旨の任意のプライオリティ基準の不存在を分析する。友人マイケル・シュナイダーの端末措置２３へのビデオフィルムの送信の完了の際に、端末装置２３は、端末装置２３を形成するＨＤレコーダ上で局所的にこのビデオフィルムを再生することができる。
【００５８】
ＨＤレコーダ１の機能を、図１によるＨＤレコーダ１の第２の典型的なアプリケーションを用いて以下説明する。
この典型的なアプリケーションによれば、ユーザであるアドルフ・プロイドルがハードディスク２からビデオフィルム、例えば、ビデオフィルム「シュレック」を再生してＴＶセット５に表示すると仮定する。アドルフ・プロイドルは、現在端末装置２３で動作中の友人マイケル・シュナイダーにこの再生を共にすることを許可しようとし、図３に示すようなメニューコマンド「共有」を起動することによってこの要求を表し、これによって、受信者マイケル・シュナイダーに対する送信を、リアルタイムプライオリティ情報によって特徴付けることができる。
【００５９】
この場合において、表示情報ＲＩは、データ量を与えるビデオフィルム「シュレック」に関連するコンテンツ情報ＣＩのエントリ及び分析結果情報ＡＩＲによって分析段１４から選択段１５に送信されるプライオリティ情報の組合せを形成する。この分析結果情報ＡＩＲに基づいて、選択段１５は、この場合、Ｐ２Ｐ送信方法が用いられることに従って、アドレス情報Ａ１２を選択する。その理由は、リアルタイムでのビデオフィルムの送信に対して、アドレス情報Ａ１３が不適切な送信方法を与えるからである。アドレス情報Ａ１２は第２の送信段１７に送信され、これによって、ビデオフィルムは、Ｐ２Ｐ送信方法に従い、ネットワーク２２を通じてリアルタイムで受信者マイケル・シュナイダーのＨＤレコーダに送信され、その結果、マイケル・シュナイダーは、アドルフ・プロイドルによって局所的に再生されたビデオフィルムをほぼ同時に見ることができる。これに関連して、当業者は、当然、著作権保護されたビデオフィルムの送信が適切なフレームワーク状態の下で行うことができることを理解しており、この状況下で著作権の侵害が生じない。しかしながら、この状況において、この態様を更に考察しない。この典型的なアプリケーションは、特に個人のビデオ記録にのみ適用される。
【００６０】
ＨＤレコーダ１の機能を、図１によるＨＤレコーダ１の第３の典型的なアプリケーションによって以下説明する。
この典型的な例によれば、ＨＤレコーダ１のユーザであるアドルフ・プロイドルが静止画像、すなわち、この場合には休日の写真を表す音声のないビデオ情報ＶＩをハードディスク２に記憶したと仮定する。アドフル・プロイドルは、送信情報ＴＩの形態であるこれらのデジタル的に記憶された休日の写真を、写真処理サービスの供給者に送信しようとしている。
【００６１】
この場合、図３に示すように、そのような写真処理サービスの三つの互いに相違する供給者が、三つの記録ＤＳ１〜ＤＳ３に記憶される。アドルフ・プロイドルは、先ず、写真用ペーパにプリントするのを所望するＴＶセット５に仮想的に表示した写真を選択する。その後、アドルフ・プロイドルは、入力手段９を起動し、図３及び４に示さない記載「写真処理」のメニューコマンドを選択する。
【００６２】
情報処理制御手段８は、個々の写真に関連するコンテンツ情報ＣＩをアドレス情報提供装置１０に送信し、分析段１４によって、写真のデータ量がＦＴＰ送信方法によって好適に送信されるか否か決定する。同時に、情報処理制御手段８によって、受信機情報ＤＩが選択手段１３に送信される。アドレス情報提供方法によって、アドレス情報提供装置１０は、複数の受信機Ｒ１，Ｒ２及びＲ３すなわちＡ１３，Ａ２３及びＡ３３に割り当てられたアドレス情報を選択できることを決定し、受信機Ｒ１，Ｒ２及びＲ３の名及びアドレス情報記録Ａ１３，Ａ２３及びＡ３３が、リストの形態で提供される。情報処理制御手段８によって、リストが、ＴＶセット５上でユーザに対して視覚的に表示される。アドルフ・プロイドルは、このリストから第２の送信機Ｒ２を選択し、これが、受信機選択情報ＤＳＩによってアドレス情報提供装置１０に送信される。その後、選択段１５によって、アドレス情報Ａ２３が選択され、第３の送信段１８に送信される。第３の送信段１８によって、処理のために選択された写真のデジタル表示が、送信情報ＴＩとして、アドレス情報Ａ２３によって規定されたＦＴＰ送信方法によりアドレス情報Ａ２３に従ってアドレス指定された受信機に送信される。
【００６３】
ＨＤレコーダ１の機能を、図１によるＨＤレコーダ１の第４の典型的なアプリケーションによって以下説明する。
この第４の典型的なアプリケーションによれば、アドフル・プロイドルが次に見るために単一の写真を友人マイケル・シュナイダーに送信するのを所望していると仮定する。この場合、図２に示すエントリが記録ＤＳ１及びＤＳ２に記憶される。送信プロセスは、以前の典型的なアプリケーションで既に説明したように、このために設けられたメニューコマンドを起動することによって起動される。その後、アドレス情報提供装置１０は、ｅメール送信方法によって送信できるのに十分低いデータ量であることを決定する。したがって、選択段１５によって、マイケル・シュナイダーのアドレス情報Ａ１１が第１の送信段１６に送信され、これによって、送信すべき単一の写真は、技術的な送信の観点から有利である比較的コスト効率よく受信者マイケル・シュナイダーに送信される。
【００６４】
ＨＤレコーダ１の機能を、図１によるＨＤレコーダ１の第５の典型的なアプリケーションにより以下説明する。
この第５の典型的なアプリケーションによれば、二つの記録ＤＳ１及びＤＳ２が図２のエントリを有すると仮定する。また、アドルフ・プロイドルが非常に多くの写真を友人のヒュー・コートレーに多数の写真の写真の送信を所望していると仮定する。このために、アドルフ・プロイドルは、先ず、メニュー又はＨＤレコーダ１のユーザインタフェースを通じて送信すべき写真を選択し、アドルフ・プロイドルを受信者と規定する。情報処理制御手段８によって、ヒュー・カートレーを受信者と規定する受信機選択情報ＤＳＩ及び個々の写真のコンテンツ情報ＣＩが分析段１４に送信され、分析段１４は、供給されたコンテンツ情報ＣＩを分析するとともに、分析結果情報ＡＩＲを通じて、送信されるデータ量がＦＴＰ送信方法によって最も効率的に送信されることを決定する。しかしながら、ヒュー・カートレーが利用できるＦＴＰアドレスＡ２３が存在せず、ヒュー・カートレーがＩＭ送信方法によるこのデータ量の送信に適切でないので、選択段１５が、ｅメール送信方法を規定するとともに現在のデータ量の送信に対して少なくとも第２の選択として適切な単独のアドレス情報Ａ２１を選択するのに用いられる。
【００６５】
また、アドレス情報提供方法によれば、本例では表示情報ＲＩすなわち送信すべき全データ量に依存する−データエントリー量が好適に送信されるような選択を行うアドレス情報Ａ２１が存在しない選択段１５によって、分割情報ＳＩが提供される。アドレス情報Ａ２１と共に選択段１５を通じて第１の層診断１６に送信される分割情報ＳＩによって、送信すべき送信情報ＴＩ、すなわち、デジタル的に記憶された写真の総数を、本例では個々のデジタル写真によって形成される送信情報要素に分割される。アドレス情報提供方法によれば、既に説明したように、アドレス情報Ａ２１が選択及び提供され、これによって、全体の送信情報ＴＩを、送信情報要素の形態で受信者ヒュー・カートレーに送信することができる。したがって、個々の写真の各々がｅメールに添付され、ヒュー・カートレーの送信端末２５すなわちｅメールアカウントに送信される。個々の写真を、好適には写真と共に送信される分割情報ＳＩを用いて写真アルバムにまとめることができる。
【００６６】
ＨＤレコーダ１の機能を、図１によるデータ担体７に対する第６の典型的なアプリケーションによって以下説明する。
この典型的なアプリケーションによれば、二つの記録ＤＳ１及びＤＳ２が図２のエントリを有すると仮定する。また、アドルフ・プロイドルがビデオフィルム「シュレック」を友人ヒュー・カートレーに送信することを所望していると仮定する。しかしながら、この場合、ヒュー・カートレーのアドレスエントリが欠如しているためにこのサイズのデータ量の送信を許容する送信方法が利用できないので、ここではＨＤレコーダ１から第２の端末装置２４に直接送信を行うことができない。しかしながら、本発明の将来のアプリケーションに対して、ヒュー・カートレーの端末装置２４がＦＴＰ又はＰ２Ｐ機能を有する可能性が高いと仮定することができ、又は、ヒュー・カートレーが他の装置、この場合、ＦＴＰ又はＰ２Ｐ機能を有する第３の端末装置２５を有すると仮定することができるので、アドルフ・プロイドルのアドレス帳にこれを行うエントリが存在しないとしても、ビデオフィルム「シュレック」は、ヒュー・カートレーの端末装置による次の収集のために当分の間ＨＤレコーダ１のハードディスク２に提供される。このために、ビデオフィルムは、ハードディスク２によって形成される送信情報記憶手段に記憶される。送信情報記憶手段は、予め選択したアドレス情報によって規定されるが現在利用できない好適な方法としてのＦＴＰ送信方法に従って次に送信するために、送信情報ＴＩの中間記憶用に設けられる。これは、最適に見えるアドレス情報がＦＴＰ送信方法を規定すべきであることを分析段１４が実際に決定したことを意味する。しかしながら、これを利用できないので、ヒュー・カートレーにアクセス可能なビデオフィルムを構成するために、一時的に利用できる内部ＦＴＰサーバがＨＤレコーダ１によって形成される。このために、ビデオフィルム「シュレック」には、次の収集用のＦＴＰアドレス”ftp://hugh:passwd@130.146.110.105/pub/shrek/mpg”にパスワードプロテクションを設けることができる。
【００６７】
ヒュー・カートレーは、ｅメールメッセージを送信し、特にアドレス情報Ａ２１によって、ｅメールメッセージは、記憶されたビデオフィルムの収集のために拡張マークアップ言語（ＸＭＬ）の図６に示す命令を有する。アドレス情報提供装置１０により予め好適に規定した送信方法を有効に用いることによって、ＸＭＬ命令によりヒュー・カートレーの端末装置２５はＨＤレコーダ１からオーディオ／ビデオ情報ＡＶＩを要求する。ビデオフィルム「シュレック」を表すオーディオ／ビデオ情報ＡＶＩが、ＦＴＰ送信方法に従ってＨＤレコーダ１から端末装置２５に送信された後、ビデオフィルムを端末装置２５で再生することができる。その後、ＨＤレコーダ１に一時的に記憶されたオーディオ／ビデオ情報ＡＶＩは、内部ＦＴＰサーバと協働して削除される。
【００６８】
これに関連してＨＤレコーダ１のＦＴＰサーバに対するリンクが、局所的に記憶されたビデオフィルムに対するリンクに自動的に置換されるようにすることによって、ヒュー・カートレーが端末装置２５で現在利用できるビデオファイルを、ヒュー・カートレーが受信したｅメールでアクセス可能にすることもできる。
【００６９】
上記の場合において、ＦＴＰ送信方法は、アドレス情報提供装置１０によって好適な送信方法と規定される。その理由は、アドフル・プロイドルによってプライオリティ基準が設定されなかったからである。しかしながら、そのようなプライオリティ基準が与えられる情況において、ヒュー・カートレーがすぐにすなわちリアルタイムで利用できるオーディオ／ビデオ情報ＡＶＩを形成することをアドルフ・プロイドルが所望するので、アドレス情報提供装置１０は、既に説明した内部ＦＴＰサーバと同様にして、ヒュー・カートレーの端末装置２５によって要求されるビデオフィルム送信用内部Ｐ２Ｐサーバを構成するのに使用され、これによって、ビデオフィルム「シュレック」は、あたかもリアルタイムでヒュー・カートレーが利用できるようになる。この場合、ヒュー・カートレーは、図６に示すｅメールメッセージとは異なるｅメールメッセージを受信し、「タイプ」及び「ＵＲＩ」の下で、エントリＦＴＰがエントリＰ２Ｐに置換される。したがって、ヒュー・カートレーの端末装置２５は、端末装置２４でのｅメールメッセージの受信並びに要求アドレス情報ＲＡＩの抽出及び送信直後に、Ｐ２Ｐ送信方法によりＨＤレコーダ１からビデオフィルムを要求することができ、それに応じて、ビデオフィルムは、Ｐ２Ｐ送信方法に従ってヒュー・カートレーの端末装置２５に送信される。
【００７０】
ＨＤレコーダ１の機能を、ＨＤレコーダ１の第７の典型的なアプリケーションによって以下説明する。
この典型的なアプリケーションによれば、アドルフ・プロイドルのＨＤレコーダ１がファイアーウォールールに隠れており、したがって、外部アクセスからプロテクトされていると仮定され、その結果、二つのシナリオで説明したように、内部ＦＴＰサーバ又は内部Ｐ２Ｐサーバに対するアクセスは、実際には不可能である。この状況に対して、ＨＤレコーダ１が、アドレス情報の欠如のためにヒュー・カートレーの端末装置２５に直接送信することができないビデオフィルムを、中間記憶のために例えば宛先“my.philips.com”を有する図示しない補助サーバに送信する。その後、ｅメールメッセージを発生し、ｅメールメッセージは、送信情報ＴＩを収集することができるサーバを内部ＦＴＰサーバ又は内部Ｐ２Ｐサーバではなく補助サーバ“my.philips.com”と特定するヒュー・カートレーの端末装置２４に送信される。上記典型的なアプリケーションにおけるようなサーバから、バッファメモリの送信情報ＴＩを、好適な送信方法に従って収集することができる。
【００７１】
このタイプのアプリケーションと同様にして、アドルフ・プロイドルがリアルタイムでビデオフィルムをマイケル・シュナイダーに送付することを所望する、すなわち、Ｐ２Ｐ送信方法を用いる場合、第１の記録ＤＳ１に対して実際のＰ２ＰアドレスＡ１２も有する。しかしながら、そのような場合、マイケル・シュナイダーがファイアーウォールを起動して端末装置２３をプロテクトするときには、マイケル・シュナイダーＨＤレコーダ１から端末装置２３への送信の試みが失敗する。この場合も、ｅメールは、アドレス情報提供装置１０によってＨＤレコーダ１から端末装置２３に送信される。ｅメールは、図６に示すＸＭＬ命令Ｃと同様なＸＭＬ命令Ｃを有し、その結果、マイケル・シュナイダーの端末装置２３は、ＨＤレコーダ１に格納されたオーディオ／ビデオ情報ＡＶＩを、基本的にはこのデータ量の送信に好適な送信方法によって、補助サーバ“my.philips.com”で見つけられるＰ２Ｐアドレスから検索することができる。その後、検索された送信情報ＴＩは、以前に選択されたアドレス情報Ａ１２によって規定されたＰ２Ｐ送信方法によりマイケル・シュナイダーの補助サーバから端末装置２３に送信される。
【００７２】
図１に示すＨＤレコーダ１に比べるとアドレス情報提供装置１０を有しないＨＤレコーダ１’を、図７に示す。本発明によるアドレス情報提供方法を実施するアドレス情報提供装置１０を有するアドレスサーバ２７も、図７に示す。
【００７３】
アドレスサーバ２７は、中央処理ユニット及び内部メモリを有するコンピュータによって実現され、コンピュータは、コンピュータのハードディスクや、ＤＶＤや、ＣＤのようなコンピュータ読出し可能媒体に記録されるコンピュータプログラムを実行し、コンピュータプログラムを、コンピュータのメモリに直接ロードすることができ、コンピュータプログラムは、ソフトウェアコード区分を具える。同時に、コンピュータプログラムがコンピュータ上で実行されるとき、本発明によるアドレス情報提供方法を実行するのにコンピュータが用いられる。
【００７４】
この場合、ＨＤレコーダ１’は、受信機Ｒｊの表示及び送信情報ＴＴＩに対応するコンテンツ情報ＣＩを、アドレスサーバに配置されたアドレス情報提供装置１０に供給する。ここでは、供給される表示情報ＲＩに応じて、すなわち、このために評価することができるコンテンツ情報ＣＩに応じて、アドレス情報提供装置１０は、この場合にはＨＤレコーダ１’に戻される関連のアドレス情報Ａｊｉを選択する。これに関して、アドレスサーバ２７は、表示情報ＲＩに関して評価することができるコンテンツ情報ＣＩが存在しない場合、送信情報ＴＩの表示情報ＲＩを発生するとともに発生した表示情報ＲＩに依存して関連の受信機Ｒｊに対応するアドレス情報Ａｊｉを選択するために、この送信情報ＴＩの一部又は全体を受信するとともに、この情報を分析し及び評価する。ＨＤレコーダ１’は、ＨＤレコーダ１’の送信装置１１に供給される関連のアドレス情報Ａｊｉの受信の際に、関連の送信情報ＴＩを、アドレス情報Ａｊｉによって規定された送信方法に従って関連の受信機Ｒｊに送信する。
【００７５】
本例では、受信機Ｒｊが明確に特定されず、複数の受信機Ｒｊに割り当て可能なアドレス情報Ａｊｉを選択できる場合、アドレス情報提供装置１０は、選択の際に利用できる受信機Ｒｊ及び関連のアドレス情報Ａｊｉをリストの形態で提供し、アドレス情報記録ＡＡｊｉは、アドレス情報サーバ２２のオペレータのアドレスによって予め支払われる料金のオーダで配置される。これによって、例えば、アドレスサーバ２７のオペレータに対して支払われる料金に応じて写真処理サービスの提供者がアドレス情報記録Ａｊｉのリストの互いに相違する位置に出現するビジネスモデルを可能にする。これによって、目的とするサービスの提供を可能にする。その理由は、このために等しい値になると思われる受信機Ｒｊのリストに最初に出現するアドレス情報ＡｊｉをＨＤレコーダ１のユーザは一般的に選択するからである。しかしながら、ここでは、リストのオーダは、アドレスサーバ２７によって写真処理サービスの提供者によって直接的又は間接的に達成される取引回数(turnover)に依存することもできる。
【００７６】
アドレス情報提供装置１０は、受信機Ｒｊにアドレス指定された送信情報ＴＩの存在を能動的にチェックすることもできる。これは、送信が主な営業時間外で自動的に行われるときに特に有利である。その理由は、このときにはネットワーク２２が通常混雑していないからである。
【００７７】
送信される完全な送信情報が分割された送信情報要素は、例えば、第１の送信情報要素としてビデオフィルムを有し、第２の送信情報要素として、説明情報としてビデオフィルムの送信側がビデオフィルムの受信側に送信することを所望するテキスト情報を有することができる。送信機の端末装置が、完全な送信情報すなわちビデオフィルム及びテキスト情報の組合せを処理できない場合、二つの送信情報要素の形態の完全な送信情報の送信は有利であるが、この端末装置は、各送信情報要素それ自体を受信するとともに、分割情報によって二つの送信情報要素を論理的に組み合わせる。送信側が、受信側がリアルタイムでビデオフィルムを利用できることを所望し、同時にこのことをいわゆるチャート情報を通じて受信側に知らせるときにも、同様な状況が生じる。
【００７８】
リアルタイムでのビデオフィルムの送信に関連して、いわゆる「リアルタイムストリーミングプロトコル」（ＲＴＳＰ）をこのために用いることができ、Ｐ２Ｐ送信方法に基づいたフィルムを共に見ることを許容する。
【図面の簡単な説明】
【００７９】
【図１】本発明の第１の実施の形態によるアドレス情報提供装置を有する送信情報処理装置をブロック図の形態で線形的に示す。
【図２】本発明の第１の典型的な例による電子アドレス帳に含まれるアドレス情報をプレーンテキストで示す。
【図３】本発明の第２の典型的な例によるアドレス情報を図２と同様に示す。
【図４】図１の送信情報処理装置で利用できるメニューの第１の画像コンテンツを線形的に示す。
【図５】図１の送信情報処理装置で利用できるメニューの第２の画像コンテンツを線形的に示す。
【図６】本発明に関連する、要求アドレス情報を有するｅメールメッセージのコンテンツの抽出を示す。
【図７】本発明によるアドレス情報提供装置を有する本発明の第２の実施の形態によるアドレス情報サーバをブロック図の形態で線形的に示す。
【図１】
2007506179.tif 000003
【図２】
2007506179.tif 000004
【図３】
2007506179.tif 000005
【図４】
2007506179.tif 000006
【図５】
2007506179.tif 000007
【図６】
2007506179.tif 000008
【図７】
2007506179.tif 000009
【国際調査報告】
2007506179.tif 000010
2007506179.tif 000011
2007506179.tif 000012
2007506179.tif 000013
2007506179.tif 000014
2007506179.tif 000015